(57)【要約】      （修正有）【課題】第１凸部１と第２凸部２とを、支持ベース３に軸９で連結した構造の枕にあって、空間４へ首筋を乗せて利用する際、第１凸部１と第２凸部２の動きを、ソフトにして頭部の移動にマッチさせ、より快適なリラクゼーション枕となすこと。【解決手段】支持ベース３を支える支点１０及び支点１１を、一体化した枕ベース１３に変更して用いること及び、緩衝部１２を第１凸部、第２凸部の下部及び周囲に敷設することにより解決した。【選択図】図２
0003116766.tif 000002
【実用新案登録請求の範囲】
【請求項１】
第１凸部１、第２凸部２を支持ベース３へ対称的に位置するように、軸９でセットし、緩衝部１２を、第１凸部１と第２凸部２のベース６の、下部周辺へ付設した構造の枕。
【請求項２】
枕台１７の上部へ、窪み１８を有するクッション部１６を付設した構造の枕。
【考案の詳細な説明】
【技術分野】
【０００１】  本考案は枕に関するものである。
【背景技術】
【０００２】  先に本出願人は「弾性体と支点による荷重分配方法による、回転背当て」（出願日：平成１４年９月１８日、出願番号：特願２００２−３１０２９１）の明細書に図１に示す構造の枕を提案した。
図１は、長方形の平面を有する板状のベース６の上部に、クッション材を適度な厚みで貼り付けたクッション部５、及び軸９がセットできるボス７より構成された第１凸部１、第１凸部１と同一の構造で構成され、第１凸部１と対称的に位置する第２凸部２、両端に、軸受け８を有する支持ベース３、支持ベース３を支える支点１０と、支点１１より構成され枕である。
（図１は、特願２００２−３１０２９１では図７に相当し、第１凸部２３、第２凸部２８、支持ベース３４、支点３１ａ、支点３１ｂ、空間８０と表示されている）
図１において、第１凸部１と対称的に位置する第２凸部２との間にある空間４の位置に首筋から後頭部に至る部分を乗せて枕として使用すると、頭部の重さにより、第１凸部１と第２凸部２が、軸９を中心として回転し概略逆三角形の溝型となり、首筋から後頭部に至る部分を軽く固定して支えることから、後頭部全体を包むように接触して支える枕とは異なる機能である。
したがって、首筋の力を抜いても、頭が安定して支えられ、身体が自然に伸び、凸部１と第２凸部２の間に生まれた空間４及び、後頭部にも間隙があることから、枕の生地に頭部が接触する面積が小さく、空気の流通が良いので、後頭部に熱が溜まらないことにより、安静感に優れた枕である。
（又、特願２００２−３１０２９１では図１２，図１３へ剛体の材料により、固定的な逆三角形の溝型を作る枕も提案している）
他方、頭部を枕の生地や布団に、接触させない為の枕としては、図４に示すような、日本で古くから使用されている高枕がある、この枕は日本髪（高島田、丸髷）が、睡眠中に崩れないように用いるもので、木材等の台１５の上へ綿などの材料で製作した、概略円柱形で長細い形のクッション材部１４を横長に敷設したものである。
高枕の場合、クッション材部１４へ首筋を乗せた場合、日本髪が台１５の下部へ接触して壊れないように充分な高さか確保できるように設計されている。
【考案が解決しようとする課題】
【０００３】  本考案は先に提案した、図１に示す構造の枕の原理を利用して、さらに利便性のある枕となすこと、及び図４に示す高枕の欠点を取り除いてさらに良い効果のある枕となすことを課題として考案したものである。
図１に示す構造の枕は、首筋の力を抜いても、頭が安定して支えられ、身体が自然に伸び、後頭部に間隙があることから、後頭部に熱が溜まらないなどにより、神経の安静感に優れた枕で、不眠の解消や深くスッキリとした心地よい睡眠に効果のあるものである。
しかし、これを使用する場合に、頭部が第１凸部１又は第２凸部２の外側へ移動したときに、第１凸部１又は第２凸部２は軸９を中心としてスムーズに回転する事から、第１凸部１、第２凸部２が小さい場合、頭部が第１凸部１、第２凸部２より外れやすい欠点があった。
図４に示す高枕については、後頭部に間隙があることから、後頭部に熱が溜まらないなどの利点があるが、
クッション材部１４の形状が、首を支える中央部と両端に高低の差が無く、平面となっていることから、首を安定させるための力必要で、これによる筋肉ストレスの発生が起きる欠点がある。
本考案はこれらの欠点を解消して、さらに利便性のある枕となすことを目的して考案したものである。
【課題を解決するための手段】
【０００４】  先に提案された、図１に示す構造の枕の欠点を解決するための手段としては、支持ベース３を支える支点１０と支点１１を硬質（硬い）のクッション材により一体化した形の、枕ベース１３に変更して用いること、及び軟質（軟らかい）のクッション材による緩衝部１２を、第１凸部１及び第２凸部２の下部及び周囲に敷設することにより解決したものであって、図２はその構造を示す側面図（部分断面図）、図３は斜視図である。
図４に示す高枕については、硬質のクッション材による枕台１７及び、中央部へ、概略逆三角形の窪み１８を有する型の、軟質のクッション材によるクッション部１６を付設することにより解決したものであって、図５はその構造を示す斜視図である。
【考案の効果】
【０００５】  図２に示す本考案の枕は、第１凸部１と第２凸部２の下部及び周囲に緩衝部１２及び、枕ベース１３を敷設することによって、頭部が第１凸部１又は第２凸部２の外側へ移動したときに、第１凸部１又は第２凸部２は、軸９を中心として回転するときに、緩衝部１２が第１凸部１又は第２凸部２の、回転の抵抗となり、第１凸部１又は第２凸部２との回転を緩やかにするとともに、第１凸部１又は第２凸部２の回転により受ける荷重により、第１凸部１又は第２凸部２と緩衝部１２の接触部は下方に凹むことにより、第１凸部１又は第２凸部２を支えて、相対的に緩衝部１２の外側と第１凸部１又は第２凸部２との段差が小さくなり頭部の移動がスムーズに行われ、寝返りを打つような場合も、違和感のない構造となる事から、使用感の良い枕となすことができた。
また、頭部の位置は左右の両肩を結ぶ線に対して、垂直であることが良い姿勢であるが、第１凸部１又は第２凸部２の回転は、概略寝返りを打った場合の両肩の動きにマッチする動きとなるために（例：第１凸部１の外側へ寝返りを打てば、頭部及び両肩は外側に向かって回転するが、第１凸部１は回転し、緩衝部１２が歪むことで、頭部の動きに従った傾きを作り首筋を支え、首筋のねじれを減少する働きをする）、首筋の筋肉ストレスを減少する効果がある。
【０００６】  図５は本考案による枕の斜視図であって、窪み１８に首筋から後頭部の一部に至る部分を乗せた場合、窪み１８の作用により、首筋から後頭部の一部に至る部分の動きを制限することから、頭部のゆらぎに要する力を必要とせず、リラクゼーションでき、使用感の良い枕となる。
【考案の実施するために最良の形態】
【０００７】  図３は本考案による枕の斜視図であって、図３に提案する枕を実施するための要点を以下６項目記述する。
（１）緩衝部１２及び枕ベース１３は、第１凸部１と第２凸部２の外周を取り囲むように、大きめに設計することがベターである。
（２）クッション部５、緩衝部１２は適度なクッションせいを有するウレタンフォーム、綿等を素材とする。
（３）ベース６はプラスチック、支持ベース３は鋼板、軸９は鋼を材料とすると製作が容易である。
（４）枕ベース１３は鋼板の支持ベース３を支える機能もあることから、硬いシート用のポリエステル製品等を用いる。
（５）緩衝部１２は、広くする他、第１凸部１と第２凸部２の外周よりはみ出した場所の、前後の厚み、幅を変えて設計して、利用者の体調、気分により、前後を入れ替えて利用する商品の製作も可能である。
（６）商品となすには、枕用生地で表面を覆うことが必要となる。
図５に示す商品については、以下の２項目が留意点となる。
（１）枕台１５については、硬いシート用のポリエステル製品等を用いる、他周囲を軟質のウレタンフォームで囲んだ構造でのデザイン、設計が可能である。
（２）商品となすには、枕用生地で表面を覆うことが必要となる。
【図面の簡単な説明】
【０００８】
【図１】図１は従来の枕の側面図である。
【図２】図２は本考案による枕の、側面図（部分断面図）である。
【図３】図３は本考案による枕の斜視図である。
【図４】図４は従来の枕の斜視図である。
【図５】図５は本考案による枕の斜視図である。
【符号の説明】
【０００９】  １．  第１凸部
２．  第２凸部
３．  支持ベース
４．  空間
５．  クッション部
６．  ベース
７．  ボス
８．  軸受け
９．  軸
１０．  支点
１１．  支点
１２．  緩衝部
１３．  枕ベース
１４．  クッション材部
１５．  台
１６．  クッション部
１７．  枕台１７
１８．  窪み
【図１】
0003116766.tif 000003
【図２】
0003116766.tif 000004
【図３】
0003116766.tif 000005
【図４】
0003116766.tif 000006
【図５】
0003116766.tif 000007
【手続補正書】
【提出日】平成17年8月1日(2005.8.1)
【手続補正１】
【補正対象書類名】実用新案登録請求の範囲
【補正対象項目名】全文
【補正方法】変更
【補正の内容】
【実用新案登録請求の範囲】
【請求項１】
第１凸部１、第２凸部２を支持ベース３へ対称的に位置するように、軸９でセットし、緩衝部１２を、第１凸部１と第２凸部２のベース６の、下部周辺へ付設した構造の枕。
【請求項２】
枕台１７の上部へ、窪み１８を有するクッション部１６を付設したことを特徴とする請求項１に記載の枕。